(57)【要約】      （修正有）【課題】マスカラ用ブラシをマスカラ液が充填された容器とは別体にして使用することができるようにしたマスカラ用ブラシ具の提供。【解決手段】マスカラ用ブラシ具は、先端に設けたブラシ部に着脱可能なキャップを設けてなり、前記ブラシ部の素材は、その全部または一部が天然毛からなっており、ブラシ不使用時にはブラシ部に外嵌して先端を保持部に前方から掛止めてキャップとして用い、ブラシ使用時にはブラシ部から外して先端を保持部の後方から掛け止めて柄として用いるキャップ兼柄部とからなることを特徴とする。【選択図】図１
0003114375.tif 000002
【実用新案登録請求の範囲】
【請求項１】
先端にブラシ部を有して該ブラシ部を保持する保持部と、該保持部に対して前後方向から着脱可能に嵌合するキャップ部とからなっており、
前記ブラシ部の毛の素材は、その全部または一部が天然毛からなっていることを特徴とするマスカラ用ブラシ具。
【請求項２】
先端にブラシ部を設けた保持部と、上記ブラシ部に着脱可能なキャップとからなっており、
前記ブラシ部の毛の素材は、その全部または一部が天然毛からなっており
前記キャップは、ブラシ不使用時にはブラシ部に外嵌して先端を保持部に前方から掛止めてキャップとして用い、ブラシ使用時にはブラシ部から外して先端を保持部の後方から掛け止めて柄として用いるキャップ兼柄部とからなることを特徴とするマスカラ用ブラシ具。
【請求項３】
ブラシ部の毛の素材が山羊や馬の毛などの天然毛、または天然毛と合成繊維との混毛からなっており、保持部がブラシ部より小径の軸部と、前記キャップを着脱可能な保持部本体とからなっていることを特徴とする請求項１または２に記載のマスカラ用ブラシ具。
【考案の詳細な説明】
【技術分野】
【０００１】
本考案は、マスカラ用ブラシをマスカラ液が充填された容器とは別体にして使用することができるようにしたマスカラ用ブラシ具に関するものである。
【背景技術】
【０００２】
マスカラは、まつげに化粧材を塗布してまつげを濃く長くみせ、又はカールすることで目元の印象を強める目的で用いられるアイメイクアップ化粧品である。
マスカラの化粧方法を簡便にするものとして、例えば特開平９−１８２６１６号のマスカラ等兼用塗布具のように、マスカラ液が充填された容器の蓋部にブラシ部分を一体に取り付けておき、ブラシ部分をマスカラ液に浸漬した状態で使用に供している。
そのため、ブラシ材としては、マスカラ液の中にあっても変化、変質しにくいナイロン、ＰＢＴ（ポリブチレンテレフタレート）その他の化学繊維を使用する必要があり、また、長時間にわたりマスカラ液に触れていることで、ブラシ部分の特徴が消されてしまう欠点がある。
一方で、マスカラ用のブラシ材としては山羊や馬、その他の天然毛が効果的であるが、マスカラ液に浸漬させる場合には、劣化するので使用できなかった。
【特許文献１】特開平９−１８２６１６号公報
【考案の開示】
【考案が解決しようとする課題】
【０００３】
この考案は上記事情に鑑みて創案されたものであって、その主たる課題は、ブラシをマスカラ液の容器に内蔵せずに別体にすると共に、ブラシに天然毛を使用して、天然毛のキューティクル状の表面の効果でマスカラを塗布する作業を繊細に行いうるようにした信頼性の高いマスカラ用ブラシ具を提供することにある。
【課題を解決するための手段】
【０００４】
本考案は、上記課題を解決するために、請求項１の考案では、
先端にブラシ部を有して該ブラシ部を保持する保持部と、該保持部に対して前後方向から着脱可能に嵌合するキャップ部とからなっており、
前記ブラシ部の毛の素材は、その全部または一部が天然毛からなっていることを特徴とする。
【０００５】
また、請求項２の発明では、
先端にブラシ部を設けた保持部と、上記ブラシ部に着脱可能なキャップとからなっており、
前記ブラシ部の毛の素材は、その全部または一部が天然毛からなっており
前記キャップは、ブラシ不使用時にはブラシ部に外嵌して先端を保持部に前方から掛止めてキャップとして用い、ブラシ使用時にはブラシ部から外して先端を保持部の後方から掛け止めて柄として用いるキャップ兼柄部とからなることを特徴とする。
【０００６】
また、請求項３の考案では、
前記ブラシ部の毛の素材が山羊や馬の毛などの天然毛、または天然毛と合成繊維との混毛からなっており、保持部がブラシ部より小径の軸部と、前記キャップを着脱可能な保持部本体とからなっていることを特徴とする。
【考案の効果】
【０００７】
本考案のマスカラ用ブラシ具は、ブラシ部が従来のように容器内のマスカラ液に浸漬することがなく、また使用後にはブラシ部を洗浄することができ、キャップ部でブラシ部を覆って保護しうるので、繰り返し使用してもブラシ部が劣化したり癖がつかずに、ブラシ部の使用が容易となって、ブラシ部の信頼性を向上させることができる。
特に、ブラシ部に毛の表面がキューティクル状の天然毛を全部または一部に使用することができるので、マスカラ液を塗布する際に、繊細且つ微細に行うことができ、アイメイクアップの仕上がりに優れ、極めて有益である。
【考案を実施するための最良の形態】
【０００８】
マスカラ用ブラシ具を、マスカラ液の入った容器とは分離独立させると共に、ブラシ部に天然毛を用いることで、マスカラを塗る作業を繊細に行うという目的を実現した。
【実施例１】
【０００９】
図１は、実施例１のマスカラ用ブラシ具１であって、先端にブラシ部２を有して該ブラシ部２を保持する保持部３と、該保持部３に着脱可能に嵌合するキャップ部４とからなっている。
本実施例では、保持部３は、その前後のいずれからでもキャップ部４を着脱可能に掛止めることができる。
【００１０】
図示例では保持部３は、その中途位置が最も太く、保持部の前部３ａおよび後部３ｂは中央に向かって漸次太くなる形状からなっている。
従って、キャップ部４は、先端が開口する略砲弾状の中空体からなっており、ブラシ不使用時にはブラシ部２に外嵌してキャップ先端４ａを保持部３の前方から掛止めてキャップとして用い、ブラシ使用時にはブラシ部２から外してキャップ先端４ａを保持部３の後方から掛け止めて把持部として用いるキャップ兼把持部として用いることができる。
【００１１】
本実施例での保持部３の形状は、図示例に限定されるものではなく、保持部３の前部および後部にキャップ部４の先端４ａを保持部３に掛止めることができる構造が採られていればよく、嵌着に限らず例えばネジ止めその他の公知の掛止構造を採ることができる（後述の実施例３参照）。
【００１２】
また、保持部３の前部３ａおよび後部３ｂと共に、あるいはこれに替えて、キャップ部４の先端に、掛止のための構造が設けられていてもよい。
例えば、キャップ部４の先端４ａを、その開口が縮小方向に付勢するように拡大可能な弾性を持たせておき、縮小方向の付勢力でキャップ部４を保持部３に掛止めるなど、その他の公知の構成を採ることができる。
【００１３】
また、ブラシ部２は、捻ったワイヤで毛を保持しており、ブラシの毛は１００％の天然毛を使用している。
ここで、天然毛は、山羊の毛や馬の毛が好ましいが、その他の動物の天然毛を用いてもよい。
【００１４】
また、本実施例では、ブラシ材（毛）として全て天然毛を用いた場合を示したが、天然毛と、化学繊維、例えば公知のナイロン、ＰＢＴなどとの混毛や、その他の素材との混毛であってもよい。
そして、混毛は、全体的に行うものでも、あるいは一定部分を天然毛とし他の部分を化学繊維とするなどの構成でもよく、要するに少なくとも一部に天然毛が使用されていればよい。
【実施例２】
【００１５】
図２に示す実施例２のマスカラ用ブラシ具１は、先端にブラシ部２を有して該ブラシ部２を保持する保持部１３が、把持部としての機能を有する場合を示す。
この場合、保持部１３の前部１３ａにだけキャップ部１４の先端１４ａを掛止可能な形状とすればよい。
その他の構成は前記実施例１と同様であるので、同一構成については同一符号を付して説明を省略する。
【００１６】
また、この実施例の場合、保持部１３は、単一の杆材からなっているが、例えばテレスコープ構造のように、適宜に長さを伸縮しうるような構造、ネジ止めなどを用いて継ぎ足す構造などからなるものでもよい。
【実施例３】
【００１７】
図３に示す実施例３のマスカラ用ブラシ具１は、図１の実施例１において、保持部１３がブラシ部２の後端にブラシ部２より小径の軸部１３Ａを設けており、該軸部１３Ａの後方にキャップ部１４を着脱可能に掛止める保持部本体１３Ｂが形成されている。
【００１８】
小径の軸部１３Ａを設けたので、マスカラ液の容器（図示せず）にブラシ部２を浸漬する際に挿入しやすく、また保持部が容器の口部に接触しにくくなり汚れが付きにくい。
保持部本体１３Ｂは、キャップ部１４の内周面と整合するように外周が設定されており、図示例の場合、中途位置にキャップ１４の先端１４ａと衝合して、それ以上の嵌合を阻止する鍔部１５を環状に一体に形成している。
なお、符号１５ａは、キャップ部１４を係止するために保持部本体１３Ｂに形成された長手方向に伸びる隆起部である。
【００１９】
従って、保持部本体１３Ｂの前方から、または後方からキャップ部１４を嵌め込む際に鍔部１５を超えてキャップ部１４が保持部本体１３Ｂに嵌め込まれることはない。
その他の構成は、前記実施例１と同様であるので、その説明を省略する。
その他、要するにこの発明の要旨を変更しない範囲で種々設計変更しうること勿論である。
【００２０】
この発明のマスカラ用ブラシ具１は、天然毛を使用することができるので、アイメイクアップの専門家によるパネルテストにおいても、高い評価を得ることができ、発明の効果を確認することができた。
【図面の簡単な説明】
【００２１】
【図１】実施例１のマスカラ用ブラシ具の側面図であって、（ａ）は不使用時の側面図、（ｂ）は使用時の側面図である。
【図２】実施例２のマスカラ用ブラシ具の不使用時の側面図である。
【図３】実施例３のマスカラ用ブラシ具の側面図であって、（ａ）は不使用時の側面図、（ｂ）は一部を省略した使用時の側面図である。
【符号の説明】
【００２２】
１    マスカラ用ブラシ具
２    ブラシ部
３    保持部
３ａ  保持部の前部
３ｂ  保持部の後部
４    キャップ部
１３    保持部
１３Ａ  軸部
１３Ｂ  保持部本体
１４    キャップ部
【図１】
0003114375.tif 000003
【図２】
0003114375.tif 000004
【図３】
0003114375.tif 000005